(57)【要約】【課題】カートリッジ本体に設けた種別検出孔の数を超える種類の識別を可能にする。【解決手段】情報記録媒体カートリッジ１は、収納されているディスク２についての各種の情報を検出する情報検出手段１０を備えている。情報検出手段１は、カートリッジ本体５に設けられた複数の検出孔１１〜１３と、カートリッジ本体５内に移動可能に組付けられていて前記複数の検出孔１１〜１３に対して重合する第１の位置と前記検出孔１１〜１３に対して非重合になる第２の位置との間で移動する検出部材１４と、を備えている。前記検出部材１４は、前記第１の位置において前記複数の検出孔を閉塞又は開放する孔開閉部１５を備えている。【選択図】  図２
2004234787.tif 000002
【特許請求の範囲】
【請求項１】
情報記録媒体を収納したカートリッジ本体に前記情報記録媒体についての各種の情報を検出する情報検出手段を設けた情報記録媒体カートリッジにおいて、
前記情報検出手段は、前記カートリッジ本体に設けられた複数の検出孔と、前記カートリッジ本体内に移動可能に組付けられていて前記複数の検出孔に対して重合する第１の位置と前記複数の検出孔に対して非重合になる第２の位置との間で移動する検出部材と、を備え、
前記検出部材は、前記第１の位置において前記複数の検出孔を閉塞又は開放する孔開閉部を備えていることを特徴とする情報記録媒体カートリッジ。
【請求項２】
前記孔開閉部は、検出孔を全閉塞するものと、検出孔を全開放するものと、検出孔を半開閉するものの３種類の重合部で構成されていることを特徴とする請求項１に記載の情報記録媒体カートリッジ。
【請求項３】
前記カートリッジ本体は、上ハーフに検出部材の位置を表示する表示窓部を備え、前記検出部材は、第１の位置に移動したときに前記表示窓部に重合し、第２の位置に移動したときに前記表示窓部に対して非重合になる重合部を備えていることを特徴とする請求項１に記載の情報記録媒体カートリッジ。
【請求項４】
前記第１の位置に移動したときに前記表示窓部に重合する重合部は、前記表示窓部に臨む部分にカートリッジ本体の色と異なる着色部が設けられていることを特徴とする請求項３に記載の情報記録媒体カートリッジ。
【請求項５】
前記カートリッジ本体の下ハーフの上面には、前記検出部材の移動をガイドするガイド突起が設けられ、前記検出部材の底面には、前記ガイド突起が挿入されるガイド溝が設けられていることを特徴とする請求項１に記載の情報記録媒体カートリッジ。
【発明の詳細な説明】
【０００１】
【発明の属する技術分野】
本発明は、情報記録媒体を収納したカートリッジ本体に前記情報記録媒体についての各種の情報を検出する情報検出手段を設けた情報記録媒体カートリッジ、例えば、誤消去防止手段を設けたディスクカートリッジにおいて、誤消去に関する情報のみでなく収納したディスクの種類等に関する情報も識別可能にしたものである。
【０００２】
【従来の技術】
光磁気ディスクのような再記録が可能なディスクを収納した光磁気ディスクカートリッジにおいては、一度記録した情報信号が誤って消去されることのない様に誤消去防止手段を有している。
【０００３】
図１５は、誤消去防止手段が設けられた光磁気ディスクカートリッジの一例を示す。光磁気ディスクカートリッジ１０１は、光磁気ディスク１０２と、光磁気ディスク１０２を回転可能に収納した上，下ハーフ１０３，１０４からなるカートリッジ本体１０５と、カートリッジ本体１０５にスライド可能に取付けられていて上，下ハーフ１０３，１０４に設けた記録再生用の開口部１０６を開閉するシャター１０７と、シャター１０７を前記開口部１０６を閉塞した状態にロックするロック部材１０８と、光磁気ディスク１０２についての各種の情報を検出する情報検出手段１１０と、を備えている。
【０００４】
前記情報検出手段１１０は、前記カートリッジ本体１０５の下ハーフ１０４に設けられた複数の検出孔、具体的には誤記録検出孔１１１及び種別検出孔１１２，１１３と、前記誤記録検出孔１１１を開閉する検出部材１１４と、を備えている。前記検出部材１１４は、前記カートリッジ本体１０５にスライド可能に取付けられていて、図１６に示すように前記誤記録検出孔１１１に対して重合状態になって該誤記録検出孔１１１を閉塞する第１の位置と、図１７に示すように前記検出部材１１４は、前記誤記録検出孔１１１に対して非重合になって該誤記録検出孔１１１を開放する第２の位置との間で移動するようになっている。（例えば特許文献１）
【０００５】
【特許文献１】
特開平７−１１１０６１号公報（段落００２９〜段落００３２、段落００４８、図１、図３、図４、図１０〜図１３）
【０００６】
【発明が解決しようとする課題】
ところで、特許文献１のディスクカートリッジにおいて、前記検出部材１１４は、専ら誤記録検出孔１１１のみを開閉し、光磁気ディスク１０２が記録可能な状態か、或いは記録不可能な状態かを検出するものであって、種別検出孔１１２，１１３までも開閉して、光磁気ディスク１０２の種別等を識別するものではなかった。即ち、前記種別検出孔１１２，１１３は、その有無によって光磁気ディスク１０２の種類等を識別させるものであって、一つの種別検出孔で一種類の識別しか行なうことができなかった。
【０００７】
近年、ディスクカートリッジ等も多様化し、外観形状が同じでも記憶容量や用途等の異なる種々の新規格が提案されている。
【０００８】
種別検出孔の数のみで上記数多い新規格に対応させようとすると、種別検出孔の数が極めて多数になり、カートリッジ本体１０５に設けることのできる種別検出孔の数にも自ずと限界がある。
【０００９】
また、カートリッジ本体１０５に多数の種別検出孔を設けると、ドライブ（記録再生装置）側にも上記多数の種別検出孔に応じた数の検出手段を設けなければならない。
【００１０】
ドライブ側に多数の検出手段を設けることはスペース的な制約を受けやすく、またコスト的にも高価なものになる。
【００１１】
このため、種別検出孔の数をできるだけ少なくし、しかも前記種別検出孔の数を超える種類の識別が可能なディスクカートリッジを得ることがこの技術分野における課題とされていた。
【００１２】
本発明は、情報検出手段の検出部材で、誤記録検出孔だけでなく種別検出孔も開閉することにより、種別検出孔の数を超える種類の識別を可能にしたものである。
【００１３】
【課題を解決するための手段】
本発明は、情報記録媒体を収納したカートリッジ本体に前記情報記録媒体についての各種の情報を検出する情報検出手段を設けた情報記録媒体カートリッジにおいて、
前記情報検出手段を、前記カートリッジ本体に設けられた複数の検出孔と、前記カートリッジ本体内に移動可能に組付けられていて前記複数の検出孔に対して重合する第１の位置と、前記複数の検出孔に対して非重合になる第２の位置との間で移動する検出部材と、で構成すると共に、前記検出部材には、前記第１の位置において前記複数の検出孔を閉塞又は開放する孔開閉部を設けることにより、前記検出部材に設けた複数の孔開閉部で前記カートリッジ本体に設けた複数の検出孔を閉塞又は開放し、これら複数の検出孔の閉塞又は開放の組み合わせにより、カートリッジ本体に設けられた複数の検出孔の数を超える数の識別を可能にした。
【００１４】
【発明の実施の形態】
図１は本発明の光磁気ディスクカートリッジを裏側から見た斜視図、図２は分解斜視図、図３は要部の拡大斜視図である。光磁気ディスクカートリッジ１は、光磁気ディスク２と、光磁気ディスク２を回転可能に収納した上，下ハーフ３，４からなるカートリッジ本体５と、カートリッジ本体５にスライド可能に取付けられていて上，下ハーフ３，４に設けた記録再生用の開口部６を開閉するシャター７と、前記開口部６を閉塞した状態にシャター７をロックするロック部材８と、光磁気ディスク２についての各種の情報を検出する情報検出手段１０と、を備えている。
【００１５】
前記情報検出手段１０は、前記カートリッジ本体５の下ハーフ４に設けられた複数の検出孔、具体的には誤記録検出孔１１及び第１，第２の種別検出孔１２，１３と、前記誤記録検出孔１１及び第１，第２の種別検出孔１２，１３を開閉する検出部材１４と、を備えている。前記検出部材１４は、前記カートリッジ本体５にスライド可能に取付けられていて、図４に示すように、前記誤記録検出孔１１及び第１，第２の種別検出孔１２，１３に対して重合状態になる第１の位置と、図５に示すように、前記誤記録検出孔１１及び第１，第２の種別検出孔１２，１３に対して非重合状態になる第２の位置との間で移動するようになっている。
【００１６】
図２に示すように、光磁気ディスク２は、光磁気記録層を設けたディスク本体２１の中央部のセンター孔２２にマグネットクランプ用の金属製のハブ２３を取付けることにより形成されている。
【００１７】
前記上ハーフ３は、外面の前記記録再生用の開口部６を囲む位置にシャッター落込用の凹部３１を備え、コーナー部分３２には後に説明する検出部材１４の第４の重合部１５ｄが臨む表示窓部３３を備えている。
【００１８】
前記下ハーフ４は、内面に前記光磁気ディスク２を回転可能に収納するディスク収納部４１を備え、該ディスク収納部４１の中央部には前記ハブ２３を外部に臨ませる駆動用の開口部４２を備えている。また、下ハーフ４のコーナー部分４３には、カ一トリッジ本体５の外周壁を構成する立上り周壁４４の一部を切り欠いて操作開口４５が形成されている。この操作開口４５は、後に説明する検出部材１４の操作部１６を外方に臨ませるとともに、検出部材１４を前記第１の位置と第２の位置とに亘って切換操作可能な長さを有している。前記誤記録検出孔１１及び第１，第２の種別検出孔１２，１３は、前記下ハーフ４のコーナー部分４３に前記操作開口４５に対して略直角方向に配置されている。
【００１９】
また、下ハーフ４は、前記誤記録検出孔１１及び第１，第２の種別検出孔１２，１３を挟んで前記操作開口４５と対向する位置に前記検出部材１４の移動をガイドする第１のガイド壁４６を備えていると共に、前記立上り周壁４４の内側には、次に説明する前記検出部材１４の第１，第２の弾性アーム部１７，１８に挟まれて該検出部材１４の移動をガイドする第２のガイド壁４７を備えている。また、下ハーフ４の第１のガイド壁４６と第２のガイド壁４７の間には後に説明する前記検出部材１４のガイド溝１９に嵌合して前記第１，第２のガイド壁４６，４７と共に検出部材１４の移動をガイドする第３のガイド壁４８が立設されている。
【００２０】
前記第２のガイド壁４７には、前記立上り周壁４４側に湾曲する第１のクリック凹部５１と第２のクリック凹部５２が設けられている。
【００２１】
前記第１のクリック凹部５１は、前記検出部材１４が前記第１の位置に移動してきたときに該検出部材１４に設けた係合凸部２０が係合する位置に設けられている。前記第２のクリック凹部５２は、前記検出部材１４が前記第２の位置に移動してきたときに該検出部材１４に設けた係合凸部２０が係合する位置に設けられている。また、図２に示すように、下ハーフ４の外面の前記記録再生用の開口部６を囲む位置（前記上ハーフ３のシャッター落込用の凹部３１と対応する位置）にシャッター落込用の凹部５３が設けられている。
【００２２】
前記シャター７は、上ハーフ３のシャッター落込用の凹部３１上に重合して上ハーフ３の記録再生用の開口部６を開閉する第１のシャッター板部７ａと、下ハーフ４のシャッター落込用の凹部５３上に重合して下ハーフ４の記録再生用の開口部６を開閉する第２のシャッター板部７ｂと、前記第１，第２のシャッター板部７ａ，７ｂの端部を連結している連結部７ｃと、連結部７ｃの両側部に設けられた第１，第２のスライドガイド部７ｄ，７ｅと、第１のスライドガイド部７ｄの端部に設けられたロック部材係合部７ｆと、を備えている。
【００２３】
前記シャター７は、所定の形状に打ち抜いた金属製の薄板を略コ字状に折り曲げることにより形成されていて、前記第１，第２のシャッター板部７ａ，７ｂでカートリッジ本体５の上，下ハーフ３，４を挟むと共に、連結部７ｃをカートリッジ本体５の前端面に沿わせた状態でカートリッジ本体５にスライド可能に組付けられる。
【００２４】
前記ロック部材８は、下ハーフ４に設けた支持軸５４を挿入する軸受孔８ａを設けた枢支部８ｂと、枢支部８ｂの一端部に突出形成されていて前記シャター７のロック部材係合部７ｆが係合する係合凹部８ｃを設けたロックアーム部８ｄと、このロックアーム部８ｄに対向するように枢支部８ｂの一端部から突出形成された弾性変位部８ｅと、を備えている。
【００２５】
前記ロック部材８は、前記軸受孔８ａに前記下ハーフ４に設けた支持軸５４を挿入することにより、下ハーフ４に回動可能に取付けられていて、前記弾性変位部８ｅにより反時計方向の回動力が付与されている。
【００２６】
そして、前記シャター７が上，下ハーフ３，４の記録再生用の開口部５を閉塞する位置にスライドしてくると、前記ロックアーム部８ｄに設けた係合凹部８ｃにロック部材係合部７ｆが係合してシャター７は、記録再生用の開口部５を閉塞した状態にロックされる。また、光磁気ディスクカートリッジ１をドライブに挿入すると、該ドライブに設けたロック解除部材でロックアーム部８ｄが押圧されて該ロックアーム部８ｄが時計方向に回動し、係合凹部８ｃからロック部材係合部７ｆが抜け出てシャター７のロックが解除される。
【００２７】
前記検出部材１４は、下ハーフ４に設けた誤記録検出孔１１及び第１，第２の種別検出孔１２，１３を閉塞するに足る大きさの略方形をなす孔開閉部１５と、移動操作部１６と、下ハーフ４に設けた第２のガイド壁４７を挟む第１，第２の弾性アーム部１７，１８と、下ハーフ４に設けた第３のガイド壁４８を挿入するガイド溝１９と、を備えている。
【００２８】
前記検出部材１４は、下ハーフ４の上方から前記第１，第２の弾性アーム部１７，１８の間に前記下ハーフ４に設けた第２のガイド壁４７を挿入すると共に、前記ガイド溝１９に前記下ハーフ４に設けた第３のガイド壁４８を挿入して、前記下ハーフ４に着脱可能に、且つ前記下ハーフ４に移動可能に組み付けられている。
【００２９】
前記第１，第２の弾性アーム部１７，１８の相対する側面の先端部には係合凸部２０が設けられていて、該係合凸部２０が前記第２のガイド壁４７に設けた第１のクリック凹部５１又は第２のクリック凹部５２に係合するようになっている。
【００３０】
前記孔開閉部１５は、図４に示すように、検出部材１４が第１の位置に在る状態において、前記下ハーフ４に設けた誤記録検出孔１１上に重合する第１の重合部１５ａと、前記第１，第２の種別検出孔１２，１３上に重合する第２，第３の重合部１５ｂ，１５ｃと、前記第２の重合部１５ｂの近傍に前記上ハーフ３に設けた表示窓部３３の下方に重なる第４の重合部１５ｄと、を備えている。
【００３１】
検出部材１４は、前記第１の位置に在る状態において、図８に示すように、第１の重合部１５ａは、誤記録検出孔１１の上部を閉塞し、第２，第３の重合部１５ｂ，１５ｃは、第１，第２の種別検出孔１２，１３の上部を開放する第１のタイプのもの、図９に示すように、第１の重合部１５ａは、誤記録検出孔１１の上部を閉塞し、第２，第３の重合部１５ｂ，１５ｃも第１，第２の種別検出孔１２，１３の上部を閉塞する第２のタイプのもの、図１０に示すように、第１の重合部１５ａは、誤記録検出孔１１の上部を閉塞し、第２の重合部１５ｂは、第１の種別検出孔１２の上部を閉塞し、第３の重合部１５ｃは、第２の種別検出孔１３の上部を開放する第３のタイプのもの、図１１に示すように、第１の重合部１５ａは、誤記録検出孔１１の上部を閉塞し、第２の重合部１５ｂは、第１の種別検出孔１２の上部を開放し、第３の重合部１５ｃは、第２の種別検出孔１３の上部を閉塞する第４のタイプ等の種々のタイプの検出部材１４が予め用意されている。
【００３２】
そして、前記種々のタイプの検出部材１４は、カートリッジ本体５に収納される光磁気ディスク２の種類等に応じて選択使用される。
【００３３】
即ち、図８に示す第１のタイプの検出部材１４を使用した場合には、第１，第２の種別検出孔１２，１３の上部が開放されていることをドライブ側の検出手段で検出することにより、カートリッジ本体５に収納されている光磁気ディスク２の種類が識別される。
【００３４】
図９に示す第２のタイプの検出部材１４を使用した場合には、第１，第２の種別検出孔１２，１３の上部が閉塞されていることをドライブ側の検出手段で検出することにより、カートリッジ本体５に収納されている光磁気ディスク２が前記第１のタイプの検出部材１４を使用したカートリッジ本体５に収納される光磁気ディスク２とは異なる種類のものであることが識別される。
【００３５】
図１０に示す第３のタイプの検出部材１４を使用した場合には、第１の種別検出孔１２の上部を閉塞され、第２の種別検出孔１３の上部を開放されていることをドライブ側の検出手段で検出すことにより、カートリッジ本体５に収納されている光磁気ディスク２が前記第１のタイプや第２のタイプの検出部材１４を使用したカートリッジ本体５に収納される光磁気ディスク２とは異なる種類のものであることが識別される。
【００３６】
図１１に示す第４のタイプの検出部材１４を使用した場合には、第１の種別検出孔１２の上部を開放され、第２の種別検出孔１３の上部を閉塞されていることを検出すことにより、カートリッジ本体５に収納されている光磁気ディスク２が前記第１のタイプや第２のタイプ、第３のタイプの検出部材１４を使用したカートリッジ本体５に収納される光磁気ディスク２とは異なる種類のものであることが識別される。
【００３７】
また、前記検出部材１４が第１の位置に在るときは、図１２に示すように、該検出部材１４の第４の重合部１５ｄが上ハーフ３に設けた表示窓部３３の下方に位置し、前記検出部材１４が第２の位置に在るときは、図１３に示すように、前記第４の重合部１５ｄが表示窓部３３の下方から逃げ、前記検出部材１４の第２の重合部１５ｂが上ハーフ３に設けた表示窓部３３の下方に位置して、前記検出部材１４が第１の位置から第２の位置に移動したことを表示する。
【００３８】
前記検出部材１４が第１の位置から第２の位置に移動したことを明確に表示するために前記第５の重合部１５ｄには着色部１５ｅ等を設けることによりにより視覚的に識別できるようになっている。
【００３９】
前記実施例においては、誤記録検出孔１１や種別検出孔１２，１３を第１〜第３の重合部１５ａ〜１５ｃで全閉（誤記録検出孔１１や種別検出孔１２，１３の上部を隙間なく閉塞）又は全開（誤記録検出孔１１や種別検出孔１２，１３の上部を外部に開放）する場合について示したが、図１４に示すように、前記第１〜第３の重合部１５ａ〜１５ｃに検出部材１４の肉厚の略１／２程度の深さの穴を形成することにより、前記誤記録検出孔１１や種別検出孔１２，１３を所謂半開タイプの検出部材１４を形成しておいて、半開状態にするタイプの検出部材１４と前記全開閉タイプの検出部材１４と混合して使用し、ドライブ側の検出手段で誤記録検出孔１１や種別検出孔１２，１３等が全開状態であるのか、全閉状態であるのか、或いは半開状態であるのか等を検出することにより、識別数をより一層増大させることができる。
【００４０】
なお、実施例においては、３個の検出孔のうちの１個を誤記録検出孔として使用した場合を示したが、誤記録検出孔が必要でないカートリッジにおいては、３個の検出孔を全てディスクの種類等の検出に用いても良い。また、実施例では検出孔を３個形成した場合を示したが、検出孔の数は４個以上であっても良い。また、実施例では光磁気ディスクカートリッジを例にとって説明したが、記録媒体は、光ディスクや磁気ディスクであっても、或いはディスク以外の記録媒体であっても良い。
【００４１】
【発明の効果】
本発明のディスクカートリッジには次に述べるような効果がある。
（１）請求項１のディスクカートリッジは、検出部材に、カートリッジ本体に設けた前記複数の検出孔を閉塞又は開放する孔開閉部を設けたので、例えば、前記複数の検出孔を全て閉塞するようにした検出部材や前記複数の検出孔を全て開放するようにした検出部材或いは前記複数の検出孔の内の一つを閉塞し、他の検出孔を開放するようにした検出部材など種々の開閉パターンの検出部材を予め用意しておいて、これら種々の開閉パターンの検出部材の組み合わせにより、カートリッジ本体に設ける検出孔の数を増やさずに識別数を増やすことができる。
（２）請求項２のディスクカートリッジは、検出部材に、カートリッジ本体に設けた検出孔を全開又は全閉するタイプものだけでなく、検出孔を半開閉するタイプのものも加えたので更に識別数を増やすことができる。
（３）請求項３のディスクカートリッジは、上ハーフに設けた表示窓部に、検出部材に設けた重合部が位置しているか否かで検出部材の位置を検出することができる。
（４）請求項４のディスクカートリッジは、前記表示窓部に重合する検出部材の重合部にカートリッジ本体の色と異なる着色を施したので色彩によって検出部材の位置を明確に識別することが可能になる。
（５）請求項５のディスクカートリッジは、カートリッジ本体の下ハーフの上面に検出部材の移動をガイドするガイド突起を設け、検出部材の底面に前記ガイド突起が挿入されるガイド溝を設けたので、これらガイド突起とガイド溝の嵌合により検出部材の移動を円滑に行なうことができる。
【図面の簡単な説明】
【図１】ディスクカートリッジを裏側からみた斜視図。
【図２】ディスクカートリッジの分解斜視図。
【図３】要部の拡大斜視図。
【図４】検出部材が第１の位置に移動した状態の斜視図。
【図５】検出部材が第１の位置に移動した状態の平面図。
【図６】検出部材が第２の位置に移動した状態の斜視図。
【図７】検出部材が第２の位置に移動した状態の平面図。
【図８】図７のＡ−Ａ断面図。
【図９】検出部材の他の例を示す断面図。
【図１０】検出部材の他の例を示す断面図。
【図１１】検出部材の他の例を示す断面図。
【図１２】上ハーフに設けた窓部に重合部が重合した状態の断面図。
【図１３】上ハーフに設けた窓部に重合部が非重合になった状態の断面図。
【図１４】検出部材の他の例を示す断面図。
【図１５】従来例の斜視図。
【図１６】検出部材が第１の位置に移動した状態の平面図。
【図１７】検出部材が第２の位置に移動した状態の平面図。
【符号の説明】
１…ディスクカートリッジ、２…光磁気ディスク、３…上ハーフ、４…下ハーフ、５…カートリッジ本体、６…記録再生用の開口部、７…シャッター、１０…情報検出手段、１１…誤記録検出孔、１２，１３…第１，第２の識別孔、１４…検出部材、１５…孔開閉部、１５ａ〜１５ｄ…第１〜第４の重合部、１９…ガイド溝、４８…ガイド溝。
【図１】
2004234787.tif 000003
【図２】
2004234787.tif 000004
【図３】
2004234787.tif 000005
【図４】
2004234787.tif 000006
【図５】
2004234787.tif 000007
【図６】
2004234787.tif 000008
【図７】
2004234787.tif 000009
【図８】
2004234787.tif 000010
【図９】
2004234787.tif 000011
【図１０】
2004234787.tif 000012
【図１１】
2004234787.tif 000013
【図１２】
2004234787.tif 000014
【図１３】
2004234787.tif 000015
【図１４】
2004234787.tif 000016
【図１５】
2004234787.tif 000017
【図１６】
2004234787.tif 000018
【図１７】
2004234787.tif 000019